(57)【要約】【課題】  商品等に貼付するラベルに文字等を印字するラベルプリンタにおいて、見易く取り扱いのしやすい実績レポートを出力できる小型で安価なラベルプリンタを提供する。【解決手段】  裏面を熱活性粘着層として表面全面にわたる印字を可能としたラベル用紙を使用するラベルプリンタが、ラベルの発行実績を記憶し集計する機能を備えることにより同ラベル用紙に実績レポートを印字し出力するように構成されている。ラベル用紙表面と裏面は、それぞれ第１および第２サーマルヘッドにより加熱されることで、印字と粘着化が行われる。そして、ラベル発行の際は裏面を粘着化し、実績レポート発行の際は裏面を粘着化しないように第２サーマルヘッドが制御される。【選択図】  図４
2006327148.tif 000002
【特許請求の範囲】
【請求項１】
商品ラベルに表示する商品名、値段などの商品データを設定する設定手段と、
前記設定された商品データを印字する印字手段と、
を具備し商品ラベルを発行するラベルプリンタにおいて、
加熱により粘着力が活性化する熱活性粘着層が裏面に設けられた帯状のラベル用紙の裏面を加熱する加熱手段と、
前記ラベル用紙を所定の大きさに切断する切断手段と、
発行した商品ラベルに関するラベル発行実績を記憶する実績記憶手段と、
前記実績記憶手段から所定の期間分のラベル発行実績を読み出して、これを前記印字手段に印字させることにより実績レポートを出力する実績レポート出力手段と、
を設け、
前記加熱手段は、前記実績レポートを出力する場合にその動作を停止し、
前記切断手段は、前記実績レポートを出力する場合に、前記ラベル発行実績が印字された部分から１枚の実績レポートが生成されるように切断位置を制御する
ことを特徴とするラベルプリンタ。
【請求項２】
多数の商品の商品名と値段との対応関係を記憶する商品記憶手段と、
顧客が購入しようとする１つまたは複数の商品を指定するデータと、顧客からの預かり金の額とを入力する入力手段と、
前記指定された商品の値段を前記商品記憶手段から読み出してその合計金額を計算し、前記預かり金の額と前記合計金額とから顧客への釣銭額を計算する演算手段と、
前記演算手段によって処理された商品の商品名、値段、合計金額、預かり金、釣銭額などの情報を登録する登録手段と、
一定期間内に前記登録手段に登録された情報を前記印字手段に印字させることにより該情報が表示されたジャーナルを出力するジャーナル出力手段と、
を備え、
前記加熱手段は、前記ジャーナルを出力する場合にその動作を停止し、
前記切断手段は、前記ジャーナルを出力する場合に、前記登録情報が印字された部分から１枚のジャーナルが生成されるように切断位置を制御する
ことを特徴とする請求項１に記載のラベルプリンタ。
【請求項３】
前記実績記憶手段に記憶されたラベル発行実績から、商品毎の販売累計数量と販売累計金額とを集計する集計手段を備え、
前記実績レポート出力手段は、前記集計手段による集計結果を実績レポートとして出力することを特徴とする請求項１または請求項２に記載のラベルプリンタ。
【請求項４】
前記ラベル用紙に代えて、ラベル用紙は裏面に熱活性粘着層および加熱により発色する感熱記録層を有するものであり、
前記加熱手段は、
前記感熱記録層を所望の文字等の形状に加熱することによって、用紙裏面を発色させ印字を行うことを特徴とする請求項１から請求項３のいずれかの項に記載のラベルプリンタ。
【請求項５】
加熱により粘着力が活性化する熱活性粘着層が裏面に設けられた帯状のラベル用紙を使って、印字部がラベル用紙表面に商品名、値段などの設定された商品データを印字し、加熱部がラベル用紙裏面を加熱により粘着化し、切断部がラベル用紙を所定の大きさに切断することによって商品ラベルを発行する際に、ラベル発行実績を記憶部に順次記憶していくステップと、
前記記憶部から所定の期間分のラベル発行実績を読み出すステップと、
読み出したラベル発行実績を前記印字部がラベル用紙に印字するステップと、
印字後のラベル用紙が前記加熱部を通過する際に加熱部が動作を停止するステップと、
ラベル発行実績が印字された部分から１枚の実績レポートが生成されるように前記切断部がラベル用紙を切断するステップと、
からなることを特徴とするラベルプリンタの実績出力方法。
【発明の詳細な説明】
【技術分野】
【０００１】
本発明は、商品等に貼付するラベルに文字等を印字するラベルプリンタに係り、特に発行したラベルの実績レポートを出力可能なラベルプリンタに関する。
【背景技術】
【０００２】
スーパーマーケット等において、肉や野菜など未包装の生鮮食品が陳列され客の指示に応じてその都度商品を包装して販売する販売形態がある。このような場合に、その商品の値段等を表示するためのラベルが包装材の上に貼付されることが多く、従来、当該ラベルに印字を行うラベルプリンタが広く用いられている。また、こうして販売した商品について、一日毎あるいは一週間毎のようにある一定期間の販売実績を管理するため、実績レポートを集計して出力する機能を持ったラベルプリンタもある（例えば、特許文献１参照）。
【０００３】
特許文献１によれば、所定の形状を有したラベル各片が片面に粘着剤を塗布されて台紙に剥離可能に接着されており、ラベル発行の際は値段等を印字後、台紙からラベルを一片ずつ剥がして商品に貼り付けることが行われている。そして、実績レポート作成の際は、通常は一枚のラベルに実績レポートが収まり切らないので分割して印字するのが便利であり、そのため複数枚のラベル各片の所定形状内にのみ印字がされるように制御を行うことを特徴とする発明が開示されている。
【特許文献１】特許第２６７７１９７号公報
【発明の開示】
【発明が解決しようとする課題】
【０００４】
しかしながら、特許文献１に開示されたラベルプリンタにおいては、１つの実績レポートは複数枚のラベルにわたって印字されて出力され、しかも一枚一枚のラベルが小さいため各片に表示される情報が細切れになってしまうので、出力された実績レポートが見にくいという欠点があった。また実績レポートは、商品等に貼付するラベルを発行する場合と同様に、分割して印字されたラベル各片が台紙から剥がされて粘着力を持った状態で発行されてくるため、その取り扱いに難があった。このようなことから、結局、実績レポート出力のためには別の印字装置を設ける必要があり、装置全体が大型化してその価格も高価になってしまうという問題があった。
【０００５】
この発明はこれらの点に鑑みてなされたものであり、その目的は、見易く取り扱いのしやすい実績レポートを出力できる小型で安価なラベルプリンタを提供することにある。また、ラベルプリンタにより見易く取り扱いのしやすい実績レポートを出力する方法を提供することを目的とする。
【課題を解決するための手段】
【０００６】
本発明は上記の課題を解決するためになされたものであり、請求項１に記載の発明は、商品ラベルに表示する商品名、値段などの商品データを設定する設定手段と、前記設定された商品データを印字する印字手段と、を具備し商品ラベルを発行するラベルプリンタにおいて、加熱により粘着力が活性化する熱活性粘着層が裏面に設けられた帯状のラベル用紙の裏面を加熱する加熱手段と、前記ラベル用紙を所定の大きさに切断する切断手段と、発行した商品ラベルに関するラベル発行実績を記憶する実績記憶手段と、前記実績記憶手段から所定の期間分のラベル発行実績を読み出して、これを前記印字手段に印字させることにより実績レポートを出力する実績レポート出力手段と、を設け、前記加熱手段は、前記実績レポートを出力する場合にその動作を停止し、前記切断手段は、前記実績レポートを出力する場合に、前記ラベル発行実績が印字された部分から１枚の実績レポートが生成されるように切断位置を制御することを特徴とするラベルプリンタである。
【０００７】
また、請求項２に記載の発明は、請求項１に記載のラベルプリンタにおいて、多数の商品の商品名と値段との対応関係を記憶する商品記憶手段と、顧客が購入しようとする１つまたは複数の商品を指定するデータと、顧客からの預かり金の額とを入力する入力手段と、前記指定された商品の値段を前記商品記憶手段から読み出してその合計金額を計算し、前記預かり金の額と前記合計金額とから顧客への釣銭額を計算する演算手段と、前記演算手段によって処理された商品の商品名、値段、合計金額、預かり金、釣銭額などの情報を登録する登録手段と、一定期間内に前記登録手段に登録された情報を前記印字手段に印字させることにより該情報が表示されたジャーナルを出力するジャーナル出力手段と、を備え、前記加熱手段は、前記ジャーナルを出力する場合にその動作を停止し、前記切断手段は、前記ジャーナルを出力する場合に、前記登録情報が印字された部分から１枚のジャーナルが生成されるように切断位置を制御することを特徴とする。
【０００８】
また、請求項３に記載の発明は、請求項１または請求項２に記載のラベルプリンタにおいて、前記実績記憶手段に記憶されたラベル発行実績から、商品毎の販売累計数量と販売累計金額とを集計する集計手段を備え、前記実績レポート出力手段は、前記集計手段による集計結果を実績レポートとして出力することを特徴とする。
【０００９】
また、請求項４に記載の発明は、請求項１から請求項３のいずれかの項に記載のラベルプリンタにおいて、前記ラベル用紙に代えて、ラベル用紙は裏面に熱活性粘着層および加熱により発色する感熱記録層を有するものであり、前記加熱手段は、前記感熱記録層を所望の文字等の形状に加熱することによって、用紙裏面を発色させ印字を行うことを特徴とする。
【００１０】
また、請求項５に記載の発明は、加熱により粘着力が活性化する熱活性粘着層が裏面に設けられた帯状のラベル用紙を使って、印字部がラベル用紙表面に商品名、値段などの設定された商品データを印字し、加熱部がラベル用紙裏面を加熱により粘着化し、切断部がラベル用紙を所定の大きさに切断することによって商品ラベルを発行する際に、ラベル発行実績を記憶部に順次記憶していくステップと、前記記憶部から所定の期間分のラベル発行実績を読み出すステップと、読み出したラベル発行実績を前記印字部がラベル用紙に印字するステップと、印字後のラベル用紙が前記加熱部を通過する際に加熱部が動作を停止するステップと、ラベル発行実績が印字された部分から１枚の実績レポートが生成されるように前記切断部がラベル用紙を切断するステップと、からなることを特徴とするラベルプリンタの実績出力方法である。
【発明の効果】
【００１１】
この発明によれば、見易く取り扱いのしやすい実績レポートを出力できる小型で安価なラベルプリンタを実現することができる。
また、請求項２および請求項３に記載の発明によれば、ジャーナルデータや商品別データのような形式で実績レポートを容易に出力することができる。
【００１２】
また、請求項４に記載の発明によれば、ラベルや実績レポートを印字する際に、用紙の表面だけでなく裏面にも印字が可能であり、しかも粘着力活性化用の加熱手段（サーマルヘッド）を用いて裏面への印字を行うので装置構成が簡単である。
また、請求項５に記載の発明によれば、ラベルプリンタにより見易く取り扱いのしやすい実績レポートを出力することができる。
【発明を実施するための最良の形態】
【００１３】
以下、この発明の実施の形態について図面を参照しながら説明する。
≪第１の実施形態≫
図１は、この発明の第１の実施形態によるラベルプリンタの印字機構部１の構成を示す図である。この印字機構部１は、用紙ロール２から引き出されたラベル用紙３の印字面３ａに印字をする印字部４と、ラベル用紙３を所定の長さに切断して一片のラベルとするためのカッター５と、ラベル用紙３の粘着面３ｂを加熱する加熱部６とを備えている。
【００１４】
用紙ロール２は、ラベル用紙３がロール状に何重にも巻かれたものであり、芯部分が軸となって回転し、ラベル用紙３が印字部４の側へ引き出されるようになっている。
ラベル用紙３は、印字面３ａには加熱によって発色する感熱記録層が、粘着面３ｂには加熱によって粘着力が活性化する熱活性粘着層が、それぞれ設けられた帯状の用紙であって、粘着面３ｂが内側になるようにして用紙ロール２を形成している。なお、粘着面３ｂを内側にしているのは、用紙ロール２を手で持つ時に粘着感が出ないようにするためである。
【００１５】
印字部４は、印字面３ａ側に設けられた第１サーマルヘッド４ａおよび粘着面３ｂ側に設けられた第１プラテンローラ４ｂによって構成されている。
第１サーマルヘッド４ａは、多数の微細な薄膜発熱素子がラベル用紙３の搬送方向（以下、用紙搬送方向という）に対して垂直な方向にアレイ状に配設した発熱体であり、当接したラベル用紙３の印字面３ａを所定の温度に加熱することで感熱記録層を発色させるものである。
第１プラテンローラ４ｂは、外周表面が凹凸のない弾性部材（ゴム）で覆われた円柱状のローラであり、円柱軸は第１サーマルヘッド４ａの発熱素子配列方向と平行に保持されて、その円柱軸の周りにステッピングモータ（図２参照）で回転駆動されるようになっている。
【００１６】
ここで、第１サーマルヘッド４ａと第１プラテンローラ４ｂは互いに適度な圧力で圧接されており、これらの間に用紙ロール２から引き出されたラベル用紙３が挟み込まれて第１プラテンローラ４ｂの回転駆動によって搬送されながら、第１サーマルヘッド４ａの発熱素子が個々に発熱して印字面３ａを所望の文字パターンに発色させていく。こうしてラベル用紙３への印字が行われる。なお、印字領域の位置決めは第１プラテンローラ４ｂの正転または逆転により調節される。
【００１７】
カッター５は、発行すべきラベルの長さ分をラベル用紙３から切断するためのものであり、カッター駆動部（図２参照）がカッター５を直線変位させるとラベルが切断される。
【００１８】
加熱部６は、粘着面３ｂ側に設けられた第２サーマルヘッド６ａと、印字面３ａ側に設けられた第２プラテンローラ６ｂと、ラベル用紙３を第２サーマルヘッド６ａと第２プラテンローラ６ｂとの間に案内するガイド６ｃと、用紙搬送方向下流側の末端に設けられた２本のローラからなるラベル受け６ｄとによって構成されている。
第２サーマルヘッド６ａは、第１サーマルヘッド４ａと同様の発熱素子からなる発熱体であり、当接したラベル用紙３の粘着面３ｂを加熱することによって同表面に粘着力を発現させるものである。また、粘着面３ｂにも感熱記録層を有したラベル用紙を使用する場合に、当該感熱記録層の発色をも行うものである（第３の実施形態を参照）。
第２プラテンローラ６ｂは、第１プラテンローラ４ｂと同様のローラである。
【００１９】
ガイド６ｃは、用紙搬送方向に対して上流側がラベル用紙３の反対側に向けて湾曲し、また下流側端部が第２プラテンローラ６ｂと近接対向するように設けられている。この構造により、印字部４を経て供給されてくるラベル用紙３を第２サーマルヘッド６ａと第２プラテンローラ６ｂとの間に確実に案内し、且つ下流側端部と第２プラテンローラ６ｂとでラベルをしっかり挟み込んで搬送することを可能にしている。
【００２０】
図２は、上述の印字機構部１を有するラベルプリンタにおける制御系の構成を示したブロック図である。
ＣＰＵ１０はＲＯＭ１１上のプログラムを実行して本ラベルプリンタの動作を統括する中央演算処理装置であり、ＲＯＭ１１は本ラベルプリンタの制御プログラムや制御用データ等を記憶する読み出し専用メモリである。ＲＡＭ１２は、ラベル印字用の各種商品データ（図３参照）や発行したラベルに関する商品名・値段等の実績データ（図３参照）のほか、各種の設定データや一時データを記憶する随時書き込み読み出しメモリであり、電源オフ時も商品データや実績データを保持するようバッテリでバックアップされている。
【００２１】
操作部１３は本ラベルプリンタの操作を行うための入力装置であり、表示部１４と一体に構成されたタッチパネルになっている。表示部１４は各種のメニュー画面やデータを表示する液晶ディスプレイである。
インタフェース１５は、ＣＰＵ１０等と後述する各駆動部やモータとの間でデータの入出力を行う。
サーマルヘッド駆動部１６・１７は、それぞれ第１および第２サーマルヘッド４ａ・６ａを駆動する駆動回路であり、ＣＰＵ１０の指令に基づいて各サーマルヘッドの各発熱素子へ電流を供給する。
カッター駆動部１８はカッター５を駆動する駆動回路である。
センサ１９は、第２サーマルヘッド６ａに対する粘着面３ｂの当接位置を検出する検出器であり、第２サーマルヘッド６ａ付近に設けられている。
ステッピングモータ２０・２１は、所定の印字位置若しくは加熱位置へラベル用紙３が搬送されるよう、それぞれ第１および第２プラテンローラ４ｂ・６ｂを回転駆動する。
【００２２】
図３は、ＲＡＭ１２に記憶され、前述した商品データや実績データが記録された商品ファイルの一例を示したものである。このファイルには品番、商品名、部門コード、単価、発行数、発行額といった各項目が記録されている。
ここで品番は商品名と一対一に対応して付与された通し番号であり、部門コードは精肉部門や野菜部門など売り場の部門を特定するコードである。
また、発行数は当該商品に貼付されるラベルの発行枚数であり、発行額はラベルが発行された分の当該商品の累計金額である。
なお、品番、商品名、部門コード、単価の各データはラベル印字に用いられるあらかじめ記録された商品データであり、発行数と発行額の２つのデータはラベルの発行実績を表す実績データである。
【００２３】
次に、上述したラベルプリンタの動作を図４に示すフローチャートを参照しながら説明する。
まず、ラベルプリンタの表示部１４に動作モードの選択画面が表示される（ステップＳ１）。本ラベルプリンタにおいては、商品に貼付する値付け用ラベルを作成する値付けモードと、印字され発行されたラベルに関する実績レポートを作成するレポートモードと、商品データの登録や環境設定などを行うための設定モードが選択可能であり、これらの選択ボタンが選択画面に表示されている。
【００２４】
オペレータが目的の動作モードを選んでタッチパネル（操作部１３）により入力すると、選択されたモードがどれであるかが判断される（ステップＳ２、ステップＳ９）。ここで、まず初めに値付け用ラベルの作成について説明する。
【００２５】
値付けモードが選択されるとステップＳ２の判断は「Ｙｅｓ」となりステップＳ３へ進む。すると、表示部１４は値付けする商品を選択する画面に切り換わり、オペレータに値付けしたい商品の品番を入力するよう促す。オペレータが商品を決めてタッチパネルにより品番を入力すると、該当する商品の商品名、部門コード、単価の各データがＲＡＭ１２の商品ファイルから呼び出される（ステップＳ３）。
【００２６】
次に、呼び出された商品データにしたがい、以下のようにしてラベル用紙３の印字面３ａへの印字が行われる（ステップＳ４）。すなわち、印字すべき文字データが決まると、その文字形状（あるいは文字の一部分）が印字面３ａ上に発色して再現されるように第１サーマルヘッド４ａの発熱素子の発熱パターン（個々の発熱素子のどれを発熱させるか）が計算される。そして、この計算に基づき、各発熱素子に対する発熱信号がサーマルヘッド駆動部１６へ送られる。すると、サーマルヘッド駆動部１６は当該発熱素子へのみ電流を供給して発熱素子を発熱させ、印字面３ａを上記発熱パターン形状に加熱する。加熱された箇所は温度が所定温度に達すると発色するので、所定時間後に発熱素子への電流供給は停止される。それとともに、ステッピングモータ２０から所定のパルスが第１プラテンローラ４ｂへ送られて、第１プラテンローラ４ｂが回動してラベル用紙３を所定のステップ量だけ搬送する。同様にして、次の発熱パターンによる印字が繰り返される。こうして、第１プラテンローラ４ｂによってラベル用紙３が搬送されながら、第１サーマルヘッド４ａの発熱素子により印字面３ａが加熱されることで、ラベルの印字が行われていく。
【００２７】
ここで、上記のステップＳ４で印字されるラベルの印字例を図５に示す。図５は、ステップＳ３において品番「０００１」を入力して、商品「牛肩」のラベルを印字した例である。なお、このラベルには左下部にバーコードが印刷されているが、これは商品を買い上げた顧客がレジカウンタで会計をする際に使用されるものであり、ＲＡＭ１２に記憶されている設定データと「牛肩」の商品データに基づいて制御プログラムにより生成されたものである。
【００２８】
図４のフローチャートに戻って説明を続ける。
印字面３ａへの印字が完了すると、ラベル用紙３は所定サイズのラベルに切断される（ステップＳ５）。このステップでは、まず切断位置がカッター５のところに来るように第１プラテンローラ４ｂおよび第２プラテンローラ６ｂが回動してラベル用紙３を搬送する。そして、印字部４と加熱部６とでラベル用紙３が担持された状態となり、この状態でカッター駆動部１８がカッター５を作動させて、ラベル用紙３からラベルを切断分離する。なおこの後、次のラベルの印字に備えるため、第１プラテンローラ４ｂが逆転させられてラベル用紙３を逆方向に搬送し、印字箇所の位置決めが行われる。
【００２９】
次に、切断されたラベルの裏面（粘着面３ｂ）を加熱により粘着化させる（ステップＳ６）。この粘着化の詳細は次のとおりである。まず、ステップＳ５で切断されラベル用紙３から分離されたラベルは、この時点ではラベルの途中部分が第２サーマルヘッド６ａに当接しているので、センサ１９で当接位置を検出しながら第２プラテンローラ６ｂが逆転させられて、ラベル端部が第２サーマルヘッド６ａに当接するよう位置決めされる。そして、サーマルヘッド駆動部１７が第２サーマルヘッド６ａの発熱素子に電流を供給して発熱素子を発熱させると、粘着面３ｂの発熱素子に当接しているエリアが帯状に加熱されて粘着化され、所定の加熱時間経過後に電流供給は停止される。続いて、第２プラテンローラ６ｂが正転させられて、ラベルは順方向に所定のステップ量だけ搬送される。搬送後、発熱素子と次に当接したエリアが同様にして粘着化される。このように、第２サーマルヘッド６ａの発熱素子の発熱と第２プラテンローラ６ｂの回動が繰り返されてラベル裏面の粘着化が行われる。
【００３０】
粘着化されたラベルは、ラベル受け６ｄの位置まで第２プラテンローラ６ｂによって搬送されてくる。こうして、１枚のラベルの発行が完了する（ステップＳ７）。
そして次に、発行したラベルについて実績データを更新するため、ＲＡＭ１２の商品ファイルの当該商品の行において、発行数と発行額の２つのデータの書き換えを行う（ステップＳ８）。その後ステップＳ１へ処理が戻る。
【００３１】
次に、実績レポートの作成について説明する。
ステップＳ１においてオペレータがレポートモードを選択すると、ステップＳ２の判断は「Ｎｏ」となりステップＳ９へ進み、さらにステップＳ９の判断は「Ｙｅｓ」となりステップＳ１０へ進む。すると、表示部１４に実績レポートとして出力する商品を選択する画面が表示され、オペレータに商品の選択を促す。ここで、複数の商品にかかるラベル発行実績を１枚の実績レポートに打ち出すことが可能であり、オペレータにより商品「牛肩」と「牛こま」（図３参照）が選択されたとする。オペレータがこれらの商品の品番をタッチパネル（操作部１３）に入力すると、該当商品の商品名、発行数、発行額の各データがＲＡＭ１２の商品ファイルから呼び出される（ステップＳ１０）。
【００３２】
呼び出されたデータは所定のフォーマットに編集され、これにより実績レポートデータが生成される（ステップＳ１１）。実績レポートデータは、後述する図６のようなものとなる。なお、上記フォーマットはＲＡＭ１２に記憶されている設定データの１つである。
【００３３】
次に、上記の実績レポートデータがラベル用紙３の印字面３ａに印字される（ステップＳ１２）。この印字は、第１サーマルヘッド４ａと第１プラテンローラ４ｂとがステップＳ４と同様に動作することによって行われる（再度の説明は省略する）。また、同時に第２プラテンローラ６ｂも回動して、印字後のラベル用紙３を前方へと搬送させていく。
【００３４】
印字が完了すると、ステップＳ５と同様（ただし、切断位置はステップＳ１２での印字の分量に応じて調整される）にしてラベル用紙３が切断され、ステップＳ１２で印字された部分が１枚の一続きの紙片として分離される（ステップＳ１３）。そして、分離された紙片は裏面の粘着化が行われることなくラベル受け６ｄへ排出され、実績レポートが発行される（ステップＳ１４）。その後ステップＳ１へ処理が戻る。
実績レポートの一例を図６に示す。これは、上記ステップＳ１０で選択した「牛肩」と「牛こま」について、発行数と発行額をこれら商品毎に印字し、１枚の実績レポートとして出力したものである。
【００３５】
図４に説明を戻して、ステップＳ１で設定モードが選択された場合には、ステップＳ２とステップＳ９の判断はともに「Ｎｏ」となりステップＳ１５へ進む。ステップＳ１５においては、商品データ（商品名や単価など）の新規登録・変更や各種の環境設定などが行われる。
【００３６】
このように、上記の実施形態によれば、裏面を熱活性粘着層として表面全面にわたる印字を可能としたラベル用紙を使用するラベルプリンタが、ラベルの発行実績を記憶し集計する機能を備えることにより同ラベル用紙に実績レポートを印字し出力するように構成されている。そして出力される実績レポートが１枚となるようにラベル用紙は切断される。これにより、何枚もの小さいラベル片に実績情報が細切れに記載されることなく、１枚の用紙に実績レポートを印字することが可能となっている。また、このラベルプリンタはラベル発行の際は裏面を粘着化し、実績レポート発行の際は裏面を粘着化しないようにサーマルヘッドを制御している。すなわち、商品等に貼付する必要のない場合は用紙裏面に粘着力がない状態で発行されてくるので、実績レポートの取り扱いがとてもし易い。さらに、実績レポート印字のための特別な印字装置は必要とされていないので、構成が簡単であり、ラベルプリンタを小型、安価に実現できる。
【００３７】
以上、図面を参照してこの発明の第１の実施形態について詳しく説明してきたが、具体的な構成は上述のものに限られることはなく、この発明の要旨を逸脱しない範囲内において様々な設計変更等をすることが可能である。
例えば、上記実施形態における印字部４は、サーマルヘッド４ａにより印字面３ａの感熱記録層を発色させて印字を行う熱転写式であるが、その他の方式の印字機構により印字部４を構成することもできる。例えば、インクジェット方式やドットインパクト方式やレーザー方式等を適用してもよい。
【００３８】
また、用紙ロール２は粘着面３ｂが外側になるようにしてラベル用紙３が巻かれたものとして説明したが、粘着面３ｂが内側（印字面３ａが外側）になるように巻かれたものでもよい。ただしこの場合は、印字部４内においてラベル用紙３に対する第１サーマルヘッド４ａと第１プラテンローラ４ｂの上下位置関係を逆にし、第１サーマルヘッド４ａを印字面３ａに、第１プラテンローラ４ｂを粘着面３ｂに、それぞれ当接するように配置する必要がある。
【００３９】
さらに、上記実施形態では、商品毎のラベル発行実績を実績レポートとして出力している（図６参照）が、精肉売り場や野菜売り場などの部門毎に実績レポートを出力するようにしてもよい。
【００４０】
≪第２の実施形態≫
次に、この発明の第２の実施形態について説明する。本実施形態によるラベルプリンタは、顧客の買い上げ商品につき購入合計額や釣り銭の額を計算する機能と、それらの計算にかかる取引結果の履歴をジャーナルデータとして出力する機能を有しているものである。
なお、このラベルプリンタの印字機構部の構成は前述した第１の実施形態の場合（図１参照）と同一であり、制御系の構成も、ＲＡＭ１２に次に述べるジャーナルデータが記憶されるようになっているほかは第１の実施形態の場合（図２参照）と同一であるため、これらについては再度の説明を省略する。
【００４１】
ここで、このラベルプリンタにおいてＲＡＭ１２に記憶されるジャーナルデータとは、顧客が買い上げた複数（１つでもよい）の商品の商品名、個数、単価、それらの合計額、顧客からの預かり額、釣銭の額などを一取引毎に記録したデータである。
【００４２】
次に、第２の実施形態によるラベルプリンタの動作を図７に示すフローチャートを参照して説明する。図７のフローチャートは、図４のフローチャートとステップＳ１〜ステップＳ３、ステップＳ８、ステップＳ１０およびステップＳ１４だけが異なっているので、以下これらの部分を中心に説明する。
【００４３】
まず、ステップＳ１ａにおいてラベルプリンタの表示部１４に動作モードの選択画面が表示されるが、ここでは第１の実施形態における値付けモードに代えて、顧客の買い上げ商品の登録（購入合計額や釣り銭の額を計算することをいう）を行う登録モードが設けられている。そして、オペレータにより動作モードが選択されてタッチパネル（操作部１３）からの入力が行われると、選択された動作モードがステップＳ２ａで判断される。
【００４４】
次に登録モードが選択された場合について説明する。この場合はステップＳ２ａの判断は「Ｙｅｓ」となりステップＳ３ａへ進む。すると、表示部１４の画面が切り換わって、多数の商品の商品名（これはＲＡＭ１２内の商品ファイルから呼び出される）を表すボタン群と商品の個数を入力するためのテンキー等が表示される。オペレータは、顧客が買い上げようとしている各商品について、これらのボタン（キー）を使って商品名とその個数を入力していく。ここでは、ある顧客が「牛肩（１００ｇ単価３００円）」を１００ｇと「中濃ソース（単価３２０円）」を１個、買い上げたとする。
【００４５】
入力が終わってオペレータが画面上の「合計キー」を押すと、入力した商品の単価がＲＡＭ１２内の商品ファイルから呼び出されて購入合計額が計算され画面上に表示されるので、オペレータはその購入合計額を顧客に知らせ、顧客から預かり金を受け取ってその額を入力する。上記例では購入合計額は６２０円と表示される。また、顧客からは１０００円を受け取ったとする。
すると、商品の購入合計額と顧客から受け取った預かり金額とから、釣銭の額が計算されて画面に表示されるので、オペレータはその釣銭を顧客に渡す。上記例では釣銭の額は３８０円と表示される。また、続いてオペレータはラベル（レシート）を発行するための操作をする。
【００４６】
ラベルの発行は、第１の実施形態のフローチャート（図４）におけるステップＳ４〜ステップＳ６と同様に印字・切断・粘着化をすることによって行われる。上記例の場合に発行されるラベル例を図８（ａ）に示す。なお、粘着化されて発行されたラベルは、顧客の買い上げ商品を包装した包装材の上に貼付するなどして顧客に提供される。こうして商品登録の一取引が完了する。
【００４７】
次に、ＲＡＭ１２に記憶されているジャーナルデータの末尾に上記の取引に関するデータが追記され、ジャーナルデータが更新される（ステップＳ８ａ）。そして処理はステップＳ１ａに戻る。
【００４８】
一方、ステップＳ１ａにおいてオペレータがレポートモードを選択すると、ステップＳ２ａの判断は「Ｎｏ」となりステップＳ９へ進み、さらにステップＳ９の判断は「Ｙｅｓ」となりステップＳ１０ａへ進む。すると、ジャーナルデータの出力対象とする日付や時間帯を指定するよう表示部１４に表示がされて、オペレータに入力を促す。そして、オペレータがタッチパネルから入力を行うと、ＲＡＭ１２に記憶されているジャーナルデータから該当する部分のデータが呼び出される（ステップＳ１０ａ）。
次に、上記呼び出されたデータがラベル用紙３に印字され、さらにラベル用紙３が切断されて、粘着化が行われずにジャーナルデータが発行される（ステップＳ１４ａ）。この印字・切断の処理は第１の実施形態におけるステップＳ１２、ステップＳ１３と同じである。こうして発行されたジャーナルの一例を図８（ｂ）に示す。同図のように、１枚のジャーナルには複数の取引結果の履歴が時系列で出力されることになる。
【００４９】
このように、第２の実施形態によれば、商品の登録機能を有するラベルプリンタに第１の実施形態と同じ構成が適用されている。これにより、ジャーナルの形式で見易く取り扱いのし易い実績レポートを出力することが可能である。
【００５０】
なお、第１の実施形態と同じように、本実施形態においても様々な設計変更等をすることが可能である。
例えば、本実施形態ではラベルプリンタを使って商品の会計を済ませてしまうことができるので、発行するラベル（レシート）は粘着化させる必要はなく、ステップＳ６の処理を省略するようにしてもよい。
【００５１】
≪第３の実施形態≫
次に、この発明の第３の実施形態について説明する。本実施形態によるラベルプリンタは、熱活性粘着層と感熱記録層とが設けられているラベル用紙の裏面に対して、１つのサーマルヘッドによって粘着化と印字を同時に行うことができるものである。
なお、このラベルプリンタの印字機構部と制御系の構成は前述した第１の実施形態の場合（図１および図２参照）と同一であるため、これらについては再度の説明を省略する。また、ラベルプリンタの動作についても、切断されたラベル裏面への粘着化の処理（図４のフローチャートのステップＳ６）だけが異なり、その他の処理は第１の実施形態と共通である。
【００５２】
以下、本実施形態のラベルプリンタにおけるラベル裏面の粘着化・印字処理について説明する。
まず、このラベルプリンタで使用するラベル用紙の裏面は、用紙引き出し方向に平行な３つの帯状領域に分けられている（図９参照）。すなわち、両側の２つの領域は熱活性粘着層が設けられた粘着領域となっており、真ん中の領域は感熱記録層が設けられた印字領域となっている。ここで、ラベル用紙裏面がこのような構成をしているのは、透明な包装フィルム等にラベルを貼付した際に、端からラベルが剥がれてしまうことがなく、また真ん中の領域に印字された文字等がフィルム側から見えるようにするためである。
【００５３】
図９は、発行されたラベルの裏面（一部分）の一例を示した模式図である。同図中のラベルの粘着領域において、片側斜線部は熱活性粘着層が未活性のままになっている部分であり、両側斜線部は加熱され活性化されて粘着力が発現している部分である。また、印字領域には「来週は特売週間です」という広告メッセージが印字されている。なお、この印字データは、ＲＡＭ１２にあらかじめ登録されているデータの中からオペレータが操作部１３を使って選択入力したり、あるいはまた操作部１３のキーボード等を使って文章を直接入力したりすることにより決定される。また、粘着部と非粘着部が交互に縞状になるようにしているのは、サーマルヘッド６ａの連続通電による寿命の減少を防止する目的と、加熱用の消費電力を低減する目的と、粘着力を調節する目的のためである。
【００５４】
図９に示すラベル裏面の印字と粘着化は、第１の実施形態におけるステップＳ６と同じく加熱部６によって行われる。ここで、第２サーマルヘッド６ａの発熱素子は、ラベル裏面の３つの領域への加熱を同時に行うため、その発熱パターンが計算され制御される。すなわち、裏面の両側２つの粘着領域に当接している発熱素子は、当接部分が粘着化すべき部分である場合にのみ発熱するよう制御される。また、真ん中の印字領域に当接している発熱素子は、印字する文字の形状に合わせて発熱パターンが決定される。そして、第１の実施形態の場合と同様に、第２サーマルヘッド６ａによる加熱と第２プラテンローラ６ｂによるラベルの搬送とが交互に繰り返されることで、ラベル裏面の印字と粘着化が進行していく。この処理が終わると、図９のラベルがラベル受け６ｄに排出されてきてラベルの発行が完了する。
【００５５】
このように、第３の実施形態によれば、ラベル用紙の裏面に感熱記録層が設けられており、裏面に対する粘着化と印字が１つのサーマルヘッドによってなされるように制御が行われている。すなわち、用紙両面への印字が可能でありながら、その装置構成が簡単である。
【００５６】
なお、第１の実施形態と同じように、本実施形態においても様々な設計変更等をすることが可能である。
例えば、本実施形態では、図９の印字領域に広告メッセージを印字するようにしているが、その他に商品（食品）に関する添加物、アレルギー物質等の情報や、調理方法、注意事項などを印字してもよい。
【産業上の利用可能性】
【００５７】
この発明は、スーパーマーケット等において、値段などを表示するため商品に貼付されるラベルの印字を行うラベルプリンタに用いて好適である。
【図面の簡単な説明】
【００５８】
【図１】この発明の第１の実施形態によるラベルプリンタの印字機構部の構成を示す図である。
【図２】図１の印字機構部を有するラベルプリンタにおける制御系の構成を示したブロック図である。
【図３】商品ファイルの一例を示した図である。
【図４】第１の実施形態によるラベルプリンタの動作を示すフローチャートである。
【図５】第１の実施形態におけるラベルの印字例を示した図である。
【図６】第１の実施形態における実績レポートの一例を示した図である。
【図７】第２の実施形態によるラベルプリンタの動作を示すフローチャートである。
【図８】第２の実施形態におけるラベルおよびジャーナルデータの印字例を示した図である。
【図９】第３の実施形態におけるラベル裏面の印字例および粘着化の様子を示した図である。
【符号の説明】
【００５９】
１…印字機構部  ２…用紙ロール  ３…ラベル用紙  ３ａ…印字面  ３ｂ…粘着面  ４…印字部  ４ａ…第１サーマルヘッド  ４ｂ…第１プラテンローラ  ５…カッター  ６…加熱部  ６ａ…第２サーマルヘッド  ６ｂ…第２プラテンローラ  ６ｃ…ガイド  ６ｄ…ラベル受け  １０…ＣＰＵ  １１…ＲＯＭ  １２…ＲＡＭ  １３…操作部  １４…表示部  １５…インタフェース  １６・１７…サーマルヘッド駆動部  １８…カッター駆動部  １９…センサ  ２０・２１…ステッピングモータ
【図１】
2006327148.tif 000003
【図２】
2006327148.tif 000004
【図３】
2006327148.tif 000005
【図４】
2006327148.tif 000006
【図５】
2006327148.tif 000007
【図６】
2006327148.tif 000008
【図７】
2006327148.tif 000009
【図８】
2006327148.tif 000010
【図９】
2006327148.tif 000011